(57)【特許請求の範囲】
【請求項１】
放送信号を受信する第１の受信部と、
前記放送信号から第１の映像情報および第１の文字情報を抽出する抽出部と、
前記第１の映像情報を表示装置の第１の画面に表示させる第１の映像表示制御部と、
前記第１の画面における文字フォントの大きさを表す第１のフォントサイズ情報を記憶する第１のフォントサイズ情報記憶部と、
前記第１の文字情報を、前記第１のフォントサイズ情報が示すフォントサイズで前記第１の画面に表示させる第１の文字表示制御部と、
配信された第２の映像情報、前記表示装置の第２の画面に関する制御情報、および第２の文字情報を受信する第２の受信部と、
前記第２の画面における文字フォントの大きさを表す第２のフォントサイズ情報を記憶する第２のフォントサイズ情報記憶部と、
前記第２の画面に関する制御情報に基づいて、前記第２の映像情報を前記第２の画面に表示させる第２の映像表示制御部と、
前記第２の画面に関する制御情報に基づいて、前記第２の文字情報を、前記第２のフォントサイズ情報が示すフォントサイズで前記第２の画面に表示させる第２の文字表示制御部と、
を備え、
前記第１の文字表示制御部は、前記第１の画面のサイズが小さいほど、大きなフォントサイズを示す前記第１のフォントサイズ情報を用いて、前記第１の文字情報を前記第１の画面に表示させ、
前記第２の文字表示制御部は、前記第２の画面のサイズに基づくフォントサイズを示す前記第２のフォントサイズ情報を用いて、前記第２の文字情報を前記第１の画面に表示させ、
前記第１の画面のサイズが前記第２の画面のサイズより大きい場合、前記第２の文字表示制御部は、前記第１の画面のサイズに基づくフォントサイズよりも大きなフォントサイズを示す前記第２のフォントサイズ情報を用いて、前記第２の文字情報を前記第２の画面に表示させる、
記載の受信機。
【請求項２】
外部から第１のフォントサイズ情報を取得し、前記第１のフォントサイズ情報を前記第１のフォントサイズ情報記憶部に記憶させる取得部、
を更に備える請求項１記載の受信機。
【請求項３】
文字フォントの大きさの最小限度サイズを表す最小限度サイズ情報を記憶する最小限度サイズ情報記憶部と、
前記取得部が取得した前記第１のフォントサイズ情報が示すフォントサイズと前記最小限度サイズ情報が示す最小限度サイズとを比較し、前記第１のフォントサイズが前記最小限度サイズよりも小さい場合に、前記第１のフォントサイズを前記最小限度サイズで置き換える第１のフォントサイズ変更部と、
を更に備える請求項２記載の受信機。
【請求項４】
文字フォントの大きさの最大限度サイズを表す最大限度サイズ情報を記憶する最大限度サイズ情報記憶部と、
前記取得部が取得した前記第１のフォントサイズ情報が示すフォントサイズと前記最大限度サイズ情報が示す最大限度サイズとを比較し、前記第１のフォントサイズが前記最大限度サイズよりも大きい場合に、前記第１のフォントサイズを前記最大限度サイズで置き換える第２のフォントサイズ変更部と、
を更に備える請求項２または請求項３いずれか記載の受信機。
【発明の詳細な説明】
【技術分野】
【０００１】
本発明は、受信機に関する。
【背景技術】
【０００２】
近年、テレビの大画面・高精細化の時代を迎えており、従来とほぼ同程度の視聴距離（以下、観視距離という。）でテレビの大画面・高精細のテレビ映像を見るケースが増えている。また、デジタル放送においては、ビデオデータおよびオーディオデータの他、字幕および文字スーパーの情報（以下、文字情報という。）が放送されている（例えば、特許文献１参照）。
【先行技術文献】
【特許文献】
【０００３】
【特許文献１】特開２００６−２４５６５３号公報
【発明の概要】
【発明が解決しようとする課題】
【０００４】
大画面・高精細のテレビを至近距離で見た場合に、映像等の画像情報については観視上目障りになることはないが、文字情報については小さすぎると読みにくく、また大き過ぎると表示映像の邪魔になる。放送局は、テレビの画面サイズに関係なく、一定のフォントサイズの文字情報を放送する。これにより、従来は、テレビの画面サイズによって、表示される文字情報が読みづらかったり表示映像の目障りになったりする場合があった。
本発明は、上記事情に鑑みてなされたものであり、字幕および文字スーパーの文字情報を、読みやすく且つ映像観視の支障とならないように提示させる受信機を提供することを目的とする。
【課題を解決するための手段】
【０００５】
上記の課題を解決するため、本発明の一態様である受信機は、放送信号を受信する第１の受信部と、前記放送信号から第１の映像情報および第１の文字情報を抽出する抽出部と、前記第１の映像情報を表示装置の第１の画面に表示させる第１の映像表示制御部と、前記第１の画面における文字フォントの大きさを表す第１のフォントサイズ情報を記憶する第１のフォントサイズ情報記憶部と、前記第１の文字情報を、前記第１のフォントサイズ情報が示すフォントサイズで前記第１の画面に表示させる第１の文字表示制御部と、を備える。
【発明の効果】
【０００６】
字幕および文字スーパーの文字情報を、読みやすく且つ映像観視の支障とならないように提示させる。
【図面の簡単な説明】
【０００７】
【図１】本発明の第１の実施形態である受信機の機能構成を示すブロック図である。
【図２】第１の実施形態である受信機を適用した受信システムの構成を示すブロック図である。
【図３】第１の実施形態である受信機による文字情報のフォントサイズの変更処理の手順の例を示すフローチャートである。
【図４】第１の実施形態である受信機が表示画面に表示させた文字情報の例を示す図である。
【図５】第１の実施形態である受信機の取得部がフォントサイズ情報を取得した場合の処理手順の例を示すフローチャートである。
【図６】本発明の第２の実施形態である受信機の機能構成を示すブロック図である。
【図７】第２の実施形態である受信機による文字情報のフォントサイズの変更処理の手順の例を示すフローチャートである。
【図８】第２の実施形態である受信機が表示画面に表示させたマルチビュー画面における文字情報の例を示す図である。
【発明を実施するための形態】
【０００８】
以下、本発明を実施するための形態について、図面を参照して詳細に説明する。
［第１の実施形態］
図１は、本発明の第１の実施形態である受信機の機能構成を示すブロック図である。図１に示すように、受信機１０は、受信部３１０と、抽出部３２０と、音声デコーダ出力部３３０と、映像デコーダ出力部３４０と、制御部３５０と、記憶部３６０と、取得部３７０とを備える。
【０００９】
受信部３１０は、デジタル放送の放送信号を受信し、放送信号を抽出部３２０に供給する。例えば、デジタル放送は、デジタルテレビ放送やデータ放送である。
抽出部３２０は、受信部３１０が供給する放送信号を取り込み、この放送信号を音声情報（オーディオデータ）と、映像情報（ビデオデータ）と、制御情報とに分離する。制御情報には、字幕および字幕スーパーの文字情報が含まれている。字幕とは、テレビジョン放送の映像と同時に提示する文字表示を中心とするサービスのうち、映像の内容と関連したサービスである。それ以外の文字情報は文字スーパーである。以下の説明において、字幕および文字スーパーを文字情報と呼ぶことがある。抽出部３２０は、音声情報を音声デコーダ出力部３３０に供給し、映像情報を映像デコーダ出力部３４０に供給し、制御情報を制御部３５０に供給する。また、抽出部３２０は、放送信号からセクションデータを抽出し、このセクションデータを制御部３５０に供給する。セクションデータには、例えば、イベントメッセージが含まれている。なお、このセクションデータに文字情報を含めてもよい。
【００１０】
音声デコーダ出力部３３０は、抽出部３２０が供給する音声情報を取り込み、制御部３５０からの制御に基づいて音声信号を出力する。この音声信号は、例えば、図示しないスピーカにより音声出力される。
映像デコーダ出力部３４０は、抽出部３２０が供給する映像情報を取り込み、制御部３５０からの制御に基づいて映像信号を出力する。また、映像デコーダ出力部３４０は、制御部３５０が供給する文字情報を取り込み、この文字情報を映像情報とともに出力する。この映像信号（文字情報が合わされる場合も含む。）は、図示しない表示装置に入力されて第１の画面に映像出力される。この第１の画面は、表示装置の表示面の全面であってもよいし、一部部分の矩形領域画面であってもよい。
【００１１】
制御部３５０は、抽出部３２０が供給する制御情報を取り込み、この制御情報に基づいて音声デコーダ出力部３３０および映像デコーダ出力部３４０を制御する。また、制御部３５０は、この制御情報から字幕および字幕スーパーの文字情報を抽出する。字幕および文字スーパーの記述言語は、例えば、ＡＲＩＢ−ＴＴＭＬである。また、ＡＲＩＢ−ＴＴＭＬ文書の文字符号化方式は、例えば、ＩＳＯ／ＩＥＣ  １０６４６：２０１２で規定されたＵＴＦ−８である。制御情報には、例えば、arib-tt:keyframes要素が含まれる。このarib-tt:keyframes要素は、文字情報のアニメーションの動作を定義するための要素である。arib-tt:keyframes要素は、例えば、tts:backgraoundColor、tts:color、tts:extent、tts:fontSize、tts:opacity、tts:originを含む。tts:backgraoundColorは、キーフレームにおいて文字の背景色を指定する情報である。tts:colorは、キーフレームにおいて文字色を指定する情報である。tts:extentは、キーフレームにおいて、要素の領域の幅と高さとを指定する情報である。tts:fontSizeは、キーフレームにおいて、文字のフォントサイズを指定する情報である。tts:opacityは、キーフレームにおいて、文字の半透明合成時のアルファ値（混合値）を指定する情報である。tts:originは、キーフレームにおいて、文字の位置を指定する情報である。制御部３５０は、この文字情報の文字のフォントサイズtts:fontSizeを記憶部３６０に記憶されたフォントサイズ情報が示すフォントサイズに変更し、フォントサイズが変更された文字情報を映像デコーダ出力部３４０に供給する。
【００１２】
制御部３５０は、映像表示制御部３５１と、文字表示制御部３５２と、フォントサイズ変更部３５３とを含む。
また、記憶部３６０は、フォントサイズ情報記憶部３６１と、最小限度サイズ情報記憶部３６２と、最大限度サイズ情報記憶部３６３とを含む。
【００１３】
映像表示制御部３５１は、映像デコーダ出力部３４０を制御して映像デコーダ出力部３４０から映像信号を出力させる。
フォントサイズ情報記憶部３６１は、表示装置の第１の画面における文字フォントの大きさを表すフォントサイズ情報を記憶する。例えば、フォントサイズ情報は、受信機１０に接続される表示装置の表示画面の大きさに応じて任意に決められる。例えば、フォントサイズは、表示画面が大きいほど小さ目のサイズであり、表示画面が小さいほど大き目のサイズである。
文字表示制御部３５２は、文字情報を、フォントサイズ情報記憶部３６１に記憶されたフォントサイズ情報が示すフォントサイズで、表示装置の第１の画面に表示させる。
【００１４】
取得部３７０は、外部からフォントサイズ情報を取得し、このフォントサイズ情報をフォントサイズ情報記憶部３６１に記憶させる。例えば、フォントサイズは、ピクセル（画素）単位で設定可能である。例えば、取得部３７０は、外部装置から通信によってフォントサイズ情報を取得してもよいし、リモコン装置や操作部の操作によってフォントサイズ情報を取得してもよい。
最小限度サイズ情報記憶部３６２は、文字フォントのフォントサイズの最小限度サイズを表す最小限度サイズ情報を記憶する。
最大限度サイズ情報記憶部３６３は、文字フォントのフォントサイズの最大限度サイズを表す最大限度サイズ情報を記憶する。
【００１５】
フォントサイズ変更部３５３は、取得部３７０が取得したフォントサイズ情報が示すフォントサイズと最小限度サイズ情報記憶部３６２に記憶された最小限度サイズ情報が示す最小限度サイズとを比較し、フォントサイズが最小限度サイズよりも小さい場合に、フォントサイズを最小限度サイズで置き換える。
また、フォントサイズ変更部３５３は、取得部３７０が取得したフォントサイズ情報が示すフォントサイズと最大限度サイズ情報記憶部３６３に記憶された最大限度サイズ情報が示す最大限度サイズとを比較し、フォントサイズが最大限度サイズよりも大きい場合に、フォントサイズを最大限度サイズで置き換える。
【００１６】
図２は、受信機１０を適用した受信システムの構成を示すブロック図である。図２に示すように、受信システム１は、受信機１０と、リモコン装置１１と、表示装置２０と、ネットワーク３０と、サーバ４０とを含む。受信機１０とサーバ４０とは、ネットワーク３０を介して通信可能に接続されている。表示装置２０は受信機１０に接続されている。リモコン装置１１は、受信機１０を操作するための操作部である。なお、図２の受信機１０の構成は図１のものと等価であるが、両者は機能面・ハードウェア面での見方を変えたブロックで示してある。
【００１７】
図２において、受信機１０は、ＣＰＵ（Ｃｅｎｔｒａｌ  Ｐｒｏｃｅｓｓｉｎｇ  Ｕｎｉｔ）１１０と、プログラムＲＯＭ（Ｒｅａｄ  Ｏｎｌｙ  Ｍｅｍｏｒｙ）１２０と、フラッシュＲＯＭ１３０と、チューナ１４０と、ＤＭＵＸ（Ｄｅｍｕｌｔｉｐｌｅｘｅｒ；分離部）１５０と、音声デコーダ１６０と、音声出力部１７０と、映像デコーダ１８０と、ＶＲＡＭ（Ｖｉｄｅｏ  Ｒａｎｄｏｍ  Ａｃｃｅｓｓ  Ｍｅｍｏｒｙ；ビデオＲＡＭ）１９０と、ネットワークＩ／Ｆ２００と、リモコン受信部２１０とを備える。
【００１８】
ＣＰＵ１１０は、プログラムＲＯＭ１２０に記憶されたプログラムを読み込んで実行することにより、各部を制御する。ＣＰＵ１１０は、ＤＭＵＸ１５０からセクションデータを取り込む。このセクションデータには、例えば、イベントメッセージが含まれている。また、ＣＰＵ１１０は、ＤＭＵＸ１５０から制御情報を取り込む。この制御情報には、例えば、同期情報や字幕および文字スーパーの文字情報が含まれている。ＣＰＵ１１０は、プログラムを実行することによって、制御部３５０、具体的には、映像表示制御部３５１、文字表示制御部３５２、およびフォントサイズ変更部３５３の機能を実現する。
【００１９】
プログラムＲＯＭ１２０は、ＣＰＵ１１０が実行するプログラムを記憶する。例えば、プログラムＲＯＭ１２０は、サーバ４０からネットワークＩ／Ｆ２００を介して供給されたプログラムで更新するようにしてもよい。
【００２０】
フラッシュＲＯＭ１３０は、再書き込み可能なＲＯＭである。例えば、フラッシュＲＯＭ１３０は、フォントサイズ情報、最小限度サイズ情報、および最大限度サイズ情報を記憶する。
【００２１】
チューナ１４０は、例えば、デジタル放送の放送信号を受信し、放送信号から所望のチャンネルの信号を復調し、この復調信号をＤＭＵＸ１５０に供給する。
ＤＭＵＸ１５０は、チューナ１４０が供給する復調信号を取り込むと、この復調信号からオーディオデータ、ビデオデータ、制御情報、およびセクションデータに分離する。例えば、復調信号は、ＭＰＥＧシステムによる符号化データである。この場合、ＤＭＵＸ１５０は、符号化データを、ＭＰＥＧオーディオ、ＭＰＥＧビデオ、制御情報、およびセクションデータに分離する。ＤＭＵＸ１５０は、オーディオデータを音声デコーダ１６０、ビデオデータを映像デコーダ、制御情報をＣＰＵ１１０、セクションデータをＣＰＵ１１０に供給する。
【００２２】
音声デコーダ１６０は、ＤＭＵＸ１５０が供給したオーディオデータを取り込み、オーディオデータを復号して音声信号を生成し、この音声信号を音声出力部１７０に供給する。
音声出力部１７０は、音声デコーダ１６０が供給した音声信号を取り込み、この音声信号を増幅して図示しないスピーカ等に出力する。
【００２３】
映像デコーダ１８０は、ＤＭＵＸ１５０が供給したビデオデータを取り込み、ビデオデータを復号して映像信号を生成し、この映像信号をＶＲＡＭ１９０に書き込む。
ＶＲＡＭ１９０は、映像デコーダ１８０によって映像信号を書き込むとともに、ＣＰＵ１１０によって文字情報を書き込む。ＶＲＡＭ１９０に書き込まれた情報は、表示装置２０に供給されて表示される。
【００２４】
ネットワークＩ／Ｆ２００は、ネットワーク３０に接続されたサーバ４０と通信するためのネットワークインターフェースである。
リモコン受信部２１０は、リモコン装置１１が送信するリモコン信号を受信し、このリモコン信号をＣＰＵ１１０に供給する。
【００２５】
図１および図２によれば、受信部３１０は、チューナ１４０を含む。また、抽出部３２０は、ＤＭＵＸ１５０を含む。また、音声デコーダ出力部３３０は、音声デコーダ１６０および音声出力部１７０を含む。また、映像デコーダ出力部３４０は、映像デコーダ１８０およびＶＲＡＭ１９０を含む。また、制御部３５０は、ＣＰＵ１１０およびプログラムＲＯＭ１２０を含む。また、記憶部３６０は、フラッシュＲＯＭ１３０を含む。また、取得部３７０は、リモコン装置１１およびリモコン受信部２１０を含む。なお、取得部３７０は、ネットワークＩ／Ｆ２００を含んでもよい。
【００２６】
表示装置２０は、受信機のＶＲＡＭ１９０に記憶された情報を表示する。例えば、表示装置２０は、液晶ディスプレイ装置により実現される。
リモコン装置１１は、受信機１０を操作するための操作部である。例えば、リモコン装置１１には、数字キー、矢印キー、決定キー、チャンネルキー、音量キー、予め定義付けられたファンクションキー等が設けられている。表示装置２０の視聴者がリモコン装置１１を操作することにより、受信機１０は、その操作に応じて動作する。
【００２７】
サーバ４０は、例えば、放送局が管理するサーバ装置である。例えば、サーバ４０は、受信機１０と通信することにより、文字情報を受信機１０に供給してもよい。また、サーバ４０は、番組のコンテンツデータを受信機１０に供給してもよい。例えば、このコンテンツデータは、ビデオデータおよびオーディオデータを含む。
【００２８】
次に、受信機１０の文字情報のフォントサイズの変更処理について説明する。
図３は、受信機１０による文字情報のフォントサイズの変更処理の手順の例を示すフローチャートである。
ステップＳ１において、受信機１０の受信部３１０は、放送信号を受信して復調し、復調信号を抽出部３２０に供給する。
次に、ステップＳ２において、抽出部３２０は、受信部３１０から復調信号を取り込み、この復調信号からオーディオデータとビデオデータと文字情報とを分離する。抽出部３２０は、オーディオデータを音声デコーダ出力部３３０、ビデオデータを映像デコーダ出力部３４０、文字情報を制御部３５０に供給する。
次に、ステップＳ３において、文字表示制御部３５２は、文字情報についてのarib-tt:keyframes要素のフォントサイズtts:fontSizeを、フォントサイズ情報記憶部３６１に記憶されたフォントサイズ情報が示すフォントサイズで変更し、この変更したフォントサイズの文字情報を映像デコーダ出力部３４０に出力する。
【００２９】
放送局は、固定のフォントサイズの文字情報を放送する。よって、本実施形態を適用しない受信機で放送信号を受信した場合、小画面の表示画面に表示される文字情報の見かけ上のフォントサイズは、大画面の表示画面に表示される文字情報の見かけ上のフォントサイズよりも小さく、観視距離によっては見づらくなる。また、大画面の表示画面の場合、観視距離が比較的短いと文字情報が必要以上に大きく見え、文字情報の背景である映像の邪魔になってしまう。
【００３０】
そこで、本実施形態では、受信機１０のフォントサイズ情報記憶部３６１にユーザ所望のフォントサイズ情報を記憶させておき、文字表示制御部３５２が、文字情報についてのarib-tt:keyframes要素のフォントサイズtts:fontSizeを、フォントサイズ情報記憶部３６１に記憶されたフォントサイズ情報が示すフォントサイズに変更する。これにより、図４に示すような表示を得ることができる。
図４は、受信機１０が表示画面に表示させた文字情報の例を示す図である。図４において、表示画面２の画面サイズは、例えば７０インチであり、表示画面３の画面サイズは、例えば３６インチである。例えば、表示画面２の場合、受信機１０は、文字情報をフォントサイズＸ（Ｘは正整数）で表示させる。一方、表示画面３の場合、受信機１０は、文字情報を、フォントサイズＸよりも大きなフォントサイズＹ（Ｙ＞Ｘ）で表示させる。このようにすれば、画面２と画面３とで表示される文字情報の見かけ上のサイズを同程度にすることができる。画面３における文字情報の文字数は画面２における文字情報の文字数よりも少なくなるが、画面３では、文字が大きく見易い（視認性が高い）という効果を有する。また、画面２に表示される文字情報について、放送信号に含まれるフォントサイズで文字情報を表示させたときに必要以上に大きく見える場合、本実施形態の受信機１０によってフォントサイズを小さく表示させれば、視認性を損なわずに文字情報を表示させることができ、且つ、より多くの文字情報を表示させることができる。
【００３１】
図５は、受信機１０の取得部３７０がフォントサイズ情報を取得した場合の処理手順の例を示すフローチャートである。
ステップＳ１１において、取得部３７０がフォントサイズ情報を取得する。具体的に、例えば、ユーザ（視聴者）によってリモコン装置１１が操作されることにより、リモコン装置１１が任意のフォントサイズ情報を示すリモコン信号を送信する。リモコン受信部２１０は、リモコン装置１１が送信したリモコン信号を受信し、このリモコン信号をＣＰＵ１１０に供給する。
【００３２】
次に、ステップＳ１２において、フォントサイズ変更部３５３は、取得部３７０が取得したフォントサイズ情報が示すフォントサイズと最小限度サイズ情報記憶部３６２に記憶された最小限度サイズ情報が示す最小限度サイズとを比較し、フォントサイズが最小限度サイズよりも小さいと判定した場合（ステップＳ１２：ＹＥＳ）はステップＳ１３の処理に進め、フォントサイズが最小限度サイズ以上であると判定した場合（ステップＳ１２：ＮＯ）はステップＳ１５の処理に進める。
【００３３】
ステップＳ１３において、フォントサイズ変更部３５３は、取得部３７０が取得したフォントサイズ情報のフォントサイズを最小限度サイズで置き換える。
次に、ステップＳ１４において、フォントサイズ変更部３５３は、フォントサイズ情報を、フォントサイズ情報記憶部３６１に記憶させる。そして、フォントサイズ変更部３５３は、本フローチャートの処理を終了させる。
【００３４】
一方、ステップＳ１５において、フォントサイズ変更部３５３は、取得部３７０が取得したフォントサイズ情報が示すフォントサイズと最大限度サイズ情報記憶部３６３に記憶された最大限度サイズ情報が示す最大限度サイズとを比較し、フォントサイズが最大限度サイズよりも大きいと判定した場合（ステップＳ１５：ＹＥＳ）はステップＳ１６の処理に進め、フォントサイズが最大限度サイズ以下であると判定した場合（ステップＳ１５：ＮＯ）はステップＳ１４の処理に進める。
【００３５】
ステップＳ１６において、フォントサイズ変更部３５３は、取得部３７０が取得したフォントサイズ情報のフォントサイズを最大限度サイズで置き換える。次に、フォントサイズ変更部３５３は、ステップＳ１４の処理に進める。
【００３６】
これにより、受信機１０のユーザが文字情報のフォントサイズを任意に変更した場合に、文字情報のフォントサイズが小さすぎて文字情報が見えづらくなったり（視認性が悪くなったり）、文字情報のフォントサイズが大きくて背景の映像の邪魔になったりすることがなく、表示装置２０における文字情報の視認性を良好に保つことができる。
【００３７】
以上、説明したとおり、本発明の第１の実施形態である受信機１０は、放送信号を受信する受信部３１０と、放送信号から第１の映像情報および第１の文字情報を抽出する抽出部３２０と、第１の映像情報を表示装置２０の第１の画面に表示させる映像表示制御部３５１と、第１の画面における文字フォントの大きさを表す第１のフォントサイズ情報を記憶するフォントサイズ情報記憶部３６１と、第１の文字情報を、第１のフォントサイズ情報が示すフォントサイズで第１の画面に表示させる文字表示制御部３５２と、を備える。
【００３８】
この構成により、放送受信により得た字幕および文字スーパーの文字情報を、この文字情報のフォントサイズを受信機１０が予め記憶するフォントサイズに変更して表示装置２０に表示させることができる。表示装置２０の画面サイズが比較的大きい場合（例えば、７０インチ）、表示装置２０の観視距離が比較的短いときは文字情報のフォントサイズをより小さくしても文字情報の視認性が損なわれるおそれは低い。このような場合、放送局により指定されるフォントサイズよりも小さいサイズのフォントサイズ情報をフォントサイズ情報記憶部３６１に記憶させておけば、受信機１０は小さ目の文字情報を表示装置２０に表示させることができ、しかも、より多くの文字情報を表示させることができる。また、表示装置２０の画面サイズが比較的小さい場合（例えば、３６インチ）、文字情報のフォントサイズが小さいときは、表示装置２０の観視距離が長くなるにしたがって文字情報の視認性が悪くなる。このような場合、放送局により指定されるフォントサイズよりも大きなサイズのフォントサイズ情報をフォントサイズ情報記憶部３６１に記憶させておけば、受信機１０は大き目の文字情報を表示装置２０に表示させることができ、文字情報の視認性を向上させることができる。
【００３９】
なお、受信機１０において、外部から第１のフォントサイズ情報を取得し、第１のフォントサイズ情報をフォントサイズ情報記憶部３６１に記憶させる取得部３７０を、更に備えてもよい。
この構成により、任意のフォントサイズを示す第１のフォントサイズ情報を、外部から受信機１０に設定することができる。
【００４０】
また、受信機１０において、文字フォントの大きさの最小限度サイズを表す最小限度サイズ情報を記憶する最小限度サイズ情報記憶部３６２と、取得部３７０が取得した第１のフォントサイズ情報が示すフォントサイズと最小限度サイズ情報が示す最小限度サイズとを比較し、第１のフォントサイズが最小限度サイズよりも小さい場合に、第１のフォントサイズを最小限度サイズで置き換えるフォントサイズ変更部３５３を、更に備えてもよい。
また、受信機１０において、文字フォントの大きさの最大限度サイズを表す最大限度サイズ情報を記憶する最大限度サイズ情報記憶部３６３と、取得部３７０が取得した第１のフォントサイズ情報が示すフォントサイズと最大限度サイズ情報が示す最大限度サイズとを比較し、第１のフォントサイズが最大限度サイズよりも大きい場合に、第１のフォントサイズを最大限度サイズで置き換えるフォントサイズ変更部３５３を、更に備えてもよい。
この構成により、表示装置２０に表示される文字情報のフォントサイズが小さくなりすぎて視認性が損なわれたり、フォントサイズが大きくなりすぎて映像の邪魔になったりするおそれがない。
【００４１】
［第２の実施形態］
本発明の第２の実施形態は、放送受信により取得した第１の映像情報を表示させる第１の画面の中に、配信されたコンテンツ情報の受信により取得した第２の映像情報を表示させる第２の画面を組み入れたマルチビューの例である。マルチビューとは、例えば、野球中継の場面において、第１の画面にピッチャーを映し、第２の画面に別カメラアングルによるバッターを映す画面である。
【００４２】
図６は、本発明の第２の実施形態である受信機の機能構成を示すブロック図である。第１の実施形態と同一の構成については同一の符号を付してその説明を省略する。図６に示したように、受信機１０ａは、第１の受信部３１０ａと、抽出部３２０と、音声デコーダ出力部３３０と、映像デコーダ出力部３４０と、制御部３５０ａと、記憶部３６０と、取得部３７０と、第２の受信部３８０とを備える。
【００４３】
第１の受信部３１０ａは、第１の実施形態における受信部３１０と同等の機能を実現する。
第２の受信部３８０は、サーバ４０から配信されたコンテンツ情報、制御情報、および文字情報を受信し、これらコンテンツ情報、制御情報、および文字情報を制御部３５０ａに供給する。コンテンツ情報および制御情報には、第２の映像情報および表示装置２０の第２の画面に関する制御情報が含まれる。
【００４４】
制御部３５０ａは、第１の実施形態における制御部３５０の機能を実現する。その他に、制御部３５０ａは、第２の受信部３８０が供給するコンテンツ情報、制御情報、および文字情報を取り込む。制御部３５０ａは、コンテンツ情報を音声デコーダ出力部３３０および映像デコーダ出力部３４０に供給し、文字情報の文字のフォントサイズをフォントサイズ情報記憶部３６１に記憶されたフォントサイズ情報が示すフォントサイズに変更し、フォントサイズが変更された文字情報を映像デコーダ出力部３４０に供給する。
【００４５】
制御部３５０ａは、第１の映像表示制御部３５１ａと、第１の文字表示制御部３５２ａと、第２の映像表示制御部３５１ｂと、第２の文字表示制御部３５２ｂと、フォントサイズ変更部３５３とを含む。第１の映像表示制御部３５１ａおよび第１の文字表示制御部３５２ａは、第１の実施形態における映像表示制御部３５１および文字表示制御部３５２と同等の機能を実現する。
第２の映像表示制御部３５１ｂは、表示装置２０の第２の画面に関する制御情報に基づき、映像デコーダ出力部３４０を制御して映像デコーダ出力部３４０から映像信号を出力させる。
第２の文字表示制御部３５２ｂは、表示装置２０の第２の画面に関する制御情報に基づいて、第２の文字情報を、フォントサイズ情報記憶部３６１に記憶されたフォントサイズ情報が示すフォントサイズで第２の画面に表示させる。
【００４６】
なお、フォントサイズ情報記憶部３６１は、第１の画面に関する第１のフォントサイズ情報と、第２の画面に関する第２のフォントサイズ情報とを記憶してもよい。これにおいて、取得部３７０は、外部から第１のフォントサイズ情報および第２のフォントサイズ情報を取得し、これら第１のフォントサイズ情報および第２のフォントサイズ情報を、フォントサイズ情報記憶部３６１に記憶させる。
【００４７】
また、最小限度サイズ情報記憶部３６２は、第１の文字情報および第２の文字情報それぞれについて、文字フォントのフォントサイズの最小限度サイズを表す最小限度サイズ情報を記憶してもよい。
また、最大限度サイズ情報記憶部３６３は、第１の文字情報および第２の文字情報それぞれについて、文字フォントのフォントサイズの最大限度サイズを表す最大限度サイズ情報を記憶してもよい。
【００４８】
次に、受信機１０ａの文字情報のフォントサイズの変更処理について説明する。
図７は、受信機１０ａによる文字情報のフォントサイズの変更処理の手順の例を示すフローチャートである。
ステップＳ２１において、受信機１０ａの第１の受信部３１０ａは、放送信号を受信して復調し、復調信号を抽出部３２０に供給する。
次に、ステップＳ２２において、抽出部３２０は、受信部３１０ａから復調信号を取り込み、この復調信号からオーディオデータとビデオデータと第１の文字情報とを分離する。抽出部３２０は、オーディオデータを音声デコーダ出力部３３０、ビデオデータを映像デコーダ出力部３４０、第１の文字情報を制御部３５０ａに供給する。
次に、ステップＳ２３において、第１の文字表示制御部３５２ａは、第１の文字情報についてのarib-tt:keyframes要素のtts:fontSizeを、フォントサイズ情報記憶部３６１に記憶された第１のフォントサイズ情報が示すフォントサイズで変更し、この変更したフォントサイズの第１の文字情報を映像デコーダ出力部３４０に出力する。
【００４９】
次に、ステップＳ２４において、受信機１０ａの第２の受信部３８０は、配信された第２の映像情報、表示装置２０の第２の画面に関する制御情報、および第２の文字情報を受信し、これらの受信情報を制御部３５０ａに供給する。
次に、ステップＳ２５において、第２の文字表示制御部３５２ｂは、第２の文字情報についてのarib-tt:keyframes要素のtts:fontSizeを、フォントサイズ情報記憶部３６１に記憶された第２のフォントサイズ情報が示すフォントサイズで変更し、この変更したフォントサイズの第２の文字情報を映像デコーダ出力部３４０に出力する。また、第２の映像表示制御部３５１ｂは、第２の画面に関する制御情報に基づいて、第２の映像情報を映像デコーダ出力部３４０に供給する。
【００５０】
図８は、受信機１０ａが表示画面に表示させたマルチビュー画面における文字情報の例を示す図である。親画面である表示画面４の画面サイズは例えば７０インチであり、子画面である表示画面５の画面サイズは例えば２６インチである。例えば、表示画面４の場合、受信機１０ａは、第１の文字情報をフォントサイズＸ（Ｘは正整数）で表示させる。一方、表示画面５の場合、受信機１０ａは、第２の文字情報を、フォントサイズＸよりも大きなフォントサイズＹ（Ｙ＞Ｘ）で表示させる。このようにすれば、画面４と画面５とで表示される文字情報の見かけ上のサイズを同程度にすることができる。画面５における文字情報の文字数は画面４における文字情報の文字数よりも少なくなるが、画面５では、文字が大きく見易い（視認性が高い）という効果を有する。また、画面４に表示される文字情報について、放送信号に含まれるフォントサイズで文字情報を表示させたときに必要以上に大きく見える場合、本実施形態の受信機１０ａによってフォントサイズを小さく表示させれば、視認性を損なわずに文字情報を表示させることができ、且つ、より多くの文字情報を表示させることができる。
【００５１】
なお、マルチビュー画面としては、図８によるものに限らず、例えば、２分割画面や４分割画面もあり、第２の実施形態は、いずれのマルチビュー画面に適用できる。
【００５２】
以上、説明したとおり、本発明の第２の実施形態である受信機１０ａは、配信された第２の映像情報、前記表示装置の第２の画面に関する制御情報、および第２の文字情報を受信する第２の受信部と、前記第２の画面における文字フォントの大きさを表す第２のフォントサイズ情報を記憶する第２のフォントサイズ情報記憶部と、前記第２の画面に関する制御情報に基づいて、前記第２の映像情報を前記第２の画面に表示させる第２の映像表示制御部と、前記第２の画面に関する制御情報に基づいて、前記第２の文字情報を、前記第２のフォントサイズ情報が示すフォントサイズで前記第２の画面に表示させる第２の文字表示制御部とを、前述した第１の実施形態である受信機１０に加えて更に備える。
【００５３】
この構成により、放送受信およびコンテンツ配信の受信により得たマルチビューにおける字幕および文字スーパーの文字情報を、この文字情報のフォントサイズを受信機１０ａが予め記憶するフォントサイズに変更して表示装置２０に表示させることができる。表示装置２０の親画面の画面サイズが比較的大きい場合（例えば、７０インチ）、表示装置２０の観視距離が比較的短いときは第１の文字情報のフォントサイズをより小さくしても文字情報の視認性が損なわれるおそれは低い。このような場合、放送局により指定されるフォントサイズよりも小さいサイズの第１のフォントサイズ情報をフォントサイズ情報記憶部３６１に記憶させておけば、受信機１０ａは小さ目の文字情報を表示装置２０に表示させることができ、しかも、より多くの文字情報を表示させることができる。また、表示装置２０の子画面の画面サイズが比較的小さい場合（例えば、２６インチ）、第２の文字情報のフォントサイズが小さいときは、表示装置２０の観視距離が長くなるにしたがって第２の文字情報の視認性が悪くなる。このような場合、放送局により指定されるフォントサイズよりも大きなサイズの第２のフォントサイズ情報をフォントサイズ情報記憶部３６１に記憶させておけば、受信機１０ａは大き目の第２の文字情報を表示装置２０に表示させることができ、第２の文字情報の視認性を向上させることができる。
【００５４】
以上により、本発明の実施形態である受信機１０，１０ａによれば、字幕および文字スーパーの文字情報を、読みやすく且つ映像観視の支障とならないように提示させることができる。
【００５５】
以上、本発明の実施の形態について図面を参照して詳述したが、具体的な構成はその実施形態に限られるものではなく、本発明の要旨を逸脱しない範囲の設計等も含まれる。
【符号の説明】
【００５６】
１０…受信機、１０ａ…受信機、３１０…受信部、３１０ａ…第１の受信部、３２０…抽出部、３３０…音声デコーダ出力部、３４０…映像デコーダ出力部、３５０…制御部、３５０ａ…制御部、３５１…映像表示制御部、３５１ａ…第１の映像表示制御部、３５１ｂ…第２の映像表示制御部、３５２…文字表示制御部、３５２ａ…第１の文字表示制御部、３５２ｂ…第２の文字表示制御部、３５３…フォントサイズ変更部、３６０…記憶部、３６１…フォントサイズ情報記憶部、３６２…最小限度サイズ情報記憶部、３６３…最大限度サイズ情報記憶部、３７０…取得部、３８０…第２の受信部
【図１】
0006508813.tif 000002
【図２】
0006508813.tif 000003
【図３】
0006508813.tif 000004
【図４】
0006508813.tif 000005
【図５】
0006508813.tif 000006
【図６】
0006508813.tif 000007
【図７】
0006508813.tif 000008
【図８】
0006508813.tif 000009